(57)【要約】【課題】  検索結果の電子文書の出力先として表示保持媒体を用いるにあたり、利用者が実際に必要とする部分の情報（検索語の付近の情報）を速やかに利用者に提供できるようにする。【解決手段】  利用者が操作端末１に電子文書の検索条件として用いる検索語を入力して検索指示を行うと、ＥＰ処理サーバ３の検索手段３２が、入力された検索語を記述内容に含む電子文書を文書管理サーバ２から検索し、画像生成手段３３が、検索した電子文書中の検索語を含む部分を特定し、その部分の画像の画像データを生成して操作端末１に送信する。この画像データは操作端末１を介して書換装置５に供給され、書換装置５が、自己と接続状態にある表示保持媒体４に当該画像データに基づく書込電力を与えて部分画像を書き込み表示させる。【選択図】  図１
2008293312.tif 000002
【特許請求の範囲】
【請求項１】
書込外力に応じて画像が書換可能に形成され且つ当該書込外力を除去した後も形成された画像を表示保持する表示保持媒体と、
利用者に指定された検索語を記述内容に含む電子文書を検索する検索手段と、
前記検索された電子文書中の検索語を含む部分を特定し、当該部分の画像を生成する生成手段と、
前記生成された部分画像に基づく書込外力を与えて前記表示保持媒体に当該部分画像を書き込む書込手段と、
を備えたことを特徴とする検索文書表示システム。
【請求項２】
前記生成手段は、複数の電子文書が検索された場合に、各電子文書毎の部分画像を生成することを特徴とする請求項１に記載の検索文書表示システム。
【請求項３】
前記生成手段は、前記検索された電子文書が検索語を記述内容に含む部分を複数有する場合に、各検索語を含む部分の画像を構成要素として有する複合画像を生成し、
前記書込手段は、前記生成された複合画像を前記表示保持媒体に書き込むことを特徴とする請求項１又は請求項２に記載の検索文書表示システム。
【請求項４】
前記生成手段は、中段に検索語を配置した部分画像を生成することを特徴とする請求項１乃至請求項３のいずれか１項に記載の検索文書表示システム。
【請求項５】
前記生成手段は、検索語を識別可能な表示態様とした部分画像を生成することを特徴とする請求項１乃至請求項４のいずれか１項に記載の検索文書表示システム。
【請求項６】
部分画像中の検索語を識別可能な表示態様とするか否かの指定を利用者から受け付ける受付手段を更に備え、
前記生成手段は、前記受付手段により受け付けた指定に応じた部分画像を生成することを特徴とする請求項５に記載の検索文書表示システム。
【請求項７】
前記表示保持媒体は、当該表示保持媒体による画像の表現能力を示す能力情報を外部から読み取り可能に保持しており、
前記検索文書表示システムは、前記表示保持媒体から能力情報を読み取る読取手段を更に備え、
前記生成手段は、前記表示保持媒体から読み取った能力情報に応じた部分画像を生成することを特徴とする請求項１乃至請求項６のいずれか１項に記載の検索文書表示システム。
【請求項８】
利用者に指定された検索語を記述内容に含むとして検索された電子文書中の検索語を含む部分を特定し、当該部分の画像を生成する生成手段と、
書込外力に応じて画像が書換可能に形成され且つ当該書込外力を除去した後も形成された画像を表示保持する表示保持媒体に前記部分画像を書き込むために、当該表示保持媒体に書き込み外力を与えて画像を書き込む書込装置に前記部分画像を供給する供給手段と、
を備えたことを特徴とする画像生成装置。
【請求項９】
利用者に指定された検索語を記述内容に含むとして検索された電子文書中の検索語を含む部分の画像を生成する画像生成装置から供給される当該生成された部分画像を記憶する記憶手段と、
書込外力に応じて画像が書換可能に形成され且つ当該書込外力を除去した後も形成された画像を表示保持する表示保持媒体に、前記記憶された部分画像に基づく書込外力を与えて当該部分画像を書き込む書込手段と、
を備えたことを特徴とする画像書込装置。
【請求項１０】
コンピュータを、
利用者に指定された検索語を記述内容に含むとして検索された電子文書中の検索語を含む部分を特定し、当該部分の画像を生成する生成手段と、
書込外力に応じて画像が書換可能に形成され且つ当該書込外力を除去した後も形成された画像を表示保持する表示保持媒体に前記部分画像を書き込むために、当該表示保持媒体に書き込み外力を与えて画像を書き込む書込装置に前記部分画像を供給する供給手段として機能させるための画像生成プログラム。
【請求項１１】
コンピュータを、
利用者に指定された検索語を記述内容に含むとして検索された電子文書中の検索語を含む部分の画像を生成する画像生成装置から供給される当該生成された部分画像を記憶する記憶手段と、
書込外力に応じて画像が書換可能に形成され且つ当該書込外力を除去した後も形成された画像を表示保持する表示保持媒体に、前記記憶された部分画像に基づく書込外力を与えて当該部分画像を書き込む書込手段として機能させるための画像書込プログラム。
【発明の詳細な説明】
【技術分野】
【０００１】
本発明は、検索文書表示システム、画像生成装置、画像書込装置、画像生成プログラム、画像書込プログラム、に関する。
【背景技術】
【０００２】
従来より、コンピュータを用いて作成した電子文書が、ディスプレイ画面への表示や用紙への印刷等によって各利用者に閲覧され、情報の伝達・共有等に用いられている。
近年、情報通信環境の発達に伴い、携帯電話やＰＤＡ（Personal Digital Assistants）等の携帯型の小型端末を操作端末として利用されることが多くなってきており、このような小型端末を用いて電子文書を検索・表示することが行われている。
【０００３】
ここで、電子文書の検索や表示等に関連して、以下のような発明が提案されている。
検索端末上で、マルチウィンドウを用いて検索結果を表示する発明が提案されている（特許文献１参照）。
検索した文書の上位３件について抜粋を作成し、各抜粋を文書毎のスクロールウィンドウに表示し且つ１画面に表示する発明が提案されている（特許文献２参照）。
端末に設けたウィンドウシステムにより同時に２種類以上の図書の内容を出力する発明が提案されている（特許文献３参照）。
各データベースから得られた複数の検索結果を統一した表示形式で表示する発明が提案されている（特許文献４参照）。
【０００４】
また、情報の複数表示に関連して、以下のような発明が提案されている。
第１表示部と第２表示部とを端末装置に備え、第１表示部および第２表示部には、それぞれの表示画面の視認状況に応じて自動的に表示レイアウトを切り替え、また、表示対象の情報変化に応じて自動的にそれぞれの表示レイアウトを切り替える発明が提案されている（特許文献５参照）。
動画表示が可能でデータ名称やアイコンなどを表示する選択用表示媒体と、選択されたデータの内容を表示するメモリ性を持った内容表示用表示媒体とをシステムに設ける発明が提案されている（特許文献６参照）。
【０００５】
また、後述するような電子ペーパ（表示保持媒体）を用いたコンテンツ配信に関連して、以下のような発明が提案されている。
ユーザＩＤと媒体ＩＤとに基づいて配信コンテンツを決定し、そのコンテンツを電子ペーパに送信・表示させるシステムが提案されている（特許文献７参照）。
ユーザや電子ペーパが置かれた状況に応じてコンテンツを送信し、コンテンツを適切な形でユーザに提供するシステムが提案されている（特許文献８参照）。
【０００６】
【特許文献１】特開２００１−９２８５０号公報
【特許文献２】特開２００４−１３９１５０号公報
【特許文献３】特開平７−７３１９６号公報
【特許文献４】特開平１０−１４３５２３号公報
【特許文献５】特開２００５−１９８２５９号公報
【特許文献６】特開２００４−２８７０７６号公報
【特許文献７】特開２００６−４１８０１号公報
【特許文献８】特開２００６−６５６００号公報
【発明の開示】
【発明が解決しようとする課題】
【０００７】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示保持媒体が研究開発されている。
【０００８】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００９】
そして、表示保持媒体を生活環境の種々の場面で利用することにより生活利便性を向上させることが期待されており、例えば、携帯電話等の小型端末を用いて行った電子文書検索の出力先に利用することが考えられる。すなわち、モバイル環境での持ち運びの容易性を図る観点から操作端末の小型化が進行した一方で、その画像表示面として使用可能な領域の確保が困難となったため、画面表示された電子文書の検索結果が見づらいという問題があったところを、例えばＡ４サイズの表示保持媒体を検索結果の出力先として用いることで検索結果の視認性を高めるというものである。
【００１０】
ここで、検索結果の電子文書において利用者が実際に必要とする情報（欲しい情報）は検索条件として用いた検索語の付近であることが多いが、その部分が例えば１０ページからなる電子文書中の４ページ目にあるとすると、３ページ分をページ送りして初めて該当ページの表示を行えるため、利用者に無駄な作業負担が掛かることが想定される。
【００１１】
本発明は、上記従来の事情に鑑みなされたものであり、検索結果の電子文書の出力先として表示保持媒体を用いるにあたり、利用者が実際に必要とする部分の情報（検索語の付近の情報）を速やかに利用者に提供できるようにすることを目的としている。
【課題を解決するための手段】
【００１２】
請求項１に記載の本発明は、書込外力に応じて画像が書換可能に形成され且つ当該書込外力を除去した後も形成された画像を表示保持する表示保持媒体と、利用者に指定された検索語を記述内容に含む電子文書を検索する検索手段と、前記検索された電子文書中の検索語を含む部分を特定し、当該部分の画像を生成する生成手段と、前記生成された部分画像に基づく書込外力を与えて前記表示保持媒体に当該部分画像を書き込む書込手段と、を備えたことを特徴とする検索文書表示システムである。
【００１３】
請求項２に記載の本発明は、請求項１に記載の検索文書表示システムにおいて、前記生成手段は、複数の電子文書が検索された場合に、各電子文書毎の部分画像を生成することを特徴とする検索文書表示システムである。
【００１４】
請求項３に記載の本発明は、請求項１又は請求項２に記載の検索文書表示システムにおいて、前記生成手段は、前記検索された電子文書が検索語を記述内容に含む部分を複数有する場合に、各検索語を含む部分の画像を構成要素として有する複合画像を生成し、前記書込手段は、前記生成された複合画像を前記表示保持媒体に書き込むことを特徴とする検索文書表示システムである。
【００１５】
請求項４に記載の本発明は、請求項１乃至請求項３のいずれか１項に記載の検索文書表示システムにおいて、前記生成手段は、中段に検索語を配置した部分画像を生成することを特徴とする検索文書表示システムである。
【００１６】
請求項５に記載の本発明は、請求項１乃至請求項４のいずれか１項に記載の検索文書表示システムにおいて、前記生成手段は、検索語を識別可能な表示態様とした部分画像を生成することを特徴とする検索文書表示システムである。
【００１７】
請求項６に記載の本発明は、請求項５に記載の検索文書表示システムにおいて、部分画像中の検索語を識別可能な表示態様とするか否かの指定を利用者から受け付ける受付手段を更に備え、前記生成手段は、前記受付手段により受け付けた指定に応じた部分画像を生成することを特徴とする検索文書表示システムである。
【００１８】
請求項７に記載の本発明は、請求項１乃至請求項６のいずれか１項に記載の検索文書表示システムにおいて、前記表示保持媒体は、当該表示保持媒体による画像の表現能力を示す能力情報を外部から読み取り可能に保持しており、前記検索文書表示システムは、前記表示保持媒体から能力情報を読み取る読取手段を更に備え、前記生成手段は、前記表示保持媒体から読み取った能力情報に応じた部分画像を生成することを特徴とする検索文書表示システムである。
【００１９】
請求項８に記載の本発明は、利用者に指定された検索語を記述内容に含むとして検索された電子文書中の検索語を含む部分を特定し、当該部分の画像を生成する生成手段と、書込外力に応じて画像が書換可能に形成され且つ当該書込外力を除去した後も形成された画像を表示保持する表示保持媒体に前記部分画像を書き込むために、当該表示保持媒体に書き込み外力を与えて画像を書き込む書込装置に前記部分画像を供給する供給手段と、を備えたことを特徴とする画像生成装置である。
【００２０】
請求項９に記載の本発明は、利用者に指定された検索語を記述内容に含むとして検索された電子文書中の検索語を含む部分の画像を生成する画像生成装置から供給される当該生成された部分画像を記憶する記憶手段と、書込外力に応じて画像が書換可能に形成され且つ当該書込外力を除去した後も形成された画像を表示保持する表示保持媒体に、前記記憶された部分画像に基づく書込外力を与えて当該部分画像を書き込む書込手段と、を備えたことを特徴とする画像書込装置である。
【００２１】
請求項１０に記載の本発明は、コンピュータを、利用者に指定された検索語を記述内容に含むとして検索された電子文書中の検索語を含む部分を特定し、当該部分の画像を生成する生成手段と、書込外力に応じて画像が書換可能に形成され且つ当該書込外力を除去した後も形成された画像を表示保持する表示保持媒体に前記部分画像を書き込むために、当該表示保持媒体に書き込み外力を与えて画像を書き込む書込装置に前記部分画像を供給する供給手段として機能させるための画像生成プログラムである。
【００２２】
請求項１１に記載の本発明は、コンピュータを、利用者に指定された検索語を記述内容に含むとして検索された電子文書中の検索語を含む部分の画像を生成する画像生成装置から供給される当該生成された部分画像を記憶する記憶手段と、書込外力に応じて画像が書換可能に形成され且つ当該書込外力を除去した後も形成された画像を表示保持する表示保持媒体に、前記記憶された部分画像に基づく書込外力を与えて当該部分画像を書き込む書込手段として機能させるための画像書込プログラムである。
【発明の効果】
【００２３】
請求項１に記載の文書検索システムによると、検索結果の電子文書の出力先として表示保持媒体を用いるにあたり、検索語を含む部分の表示に到達するまでに複数回の書き込み作業等を要しないため、利用者が実際に必要とする部分の情報（検索語の付近の情報）を、本構成を用いない場合に比べて速やかに利用者に提供できる。
【００２４】
請求項２に記載の文書検索システムによると、検索された各電子文書毎の部分画像が生成されることから、それぞれを異なる表示保持媒体に表示させることができるため、利用者は検索結果の電子文書同士の比較を行い易い。
【００２５】
請求項３に記載の文書検索システムによると、電子文書中の検索語を含む複数の部分が表示保持媒体に表示されるため、欲しい情報を取得するために利用者が閲覧する表示保持媒体の枚数が少なくなり、利用者の作業効率の向上を図れる。
【００２６】
請求項４に記載の文書検索システムによると、検索語を部分画像の中段に配置することから、その前後数行が部分画像に含まれるため、利用者が欲する情報が検索語の前後いずれにあったとしても利用者に提供できる。
【００２７】
請求項５に記載の文書検索システムによると、検索語を識別可能な態様で表示させるため、欲しい情報がある箇所を利用者は表示内容を一目して把握できる。
【００２８】
請求項６に記載の文書検索システムによると、検索語を識別可能な態様で表示するか否かを、利用者の要求に応じて切り替えることができる。
【００２９】
請求項７に記載の文書検索システムによると、表示保持媒体による画像の表現能力（解像度、色数、階調など）に応じた部分画像を生成するため、表示保持媒体の表現能力を超えた画像を生成する場合に比べて画像生成時間や画像送信時間が短くなり、処理効率が良い。
【００３０】
請求項８に記載の画像生成装置によると、検索結果の電子文書の出力先として表示保持媒体を用いるにあたり、利用者が実際に必要とする部分の情報を速やかに利用者に提供できる検索文書表示システムを構成できる。
【００３１】
請求項９に記載の画像書込装置によると、検索結果の電子文書の出力先として表示保持媒体を用いるにあたり、利用者が実際に必要とする部分の情報を速やかに利用者に提供できる検索文書表示システムを構成できる。
【００３２】
請求項１０に記載の画像生成プログラムによると、当該プログラムの実行によりコンピュータ上に実現される各機能手段により、検索結果の電子文書の出力先として表示保持媒体を用いるにあたり、利用者が実際に必要とする部分の情報を速やかに利用者に提供できる検索文書表示システムを構成できる。
【００３３】
請求項１１に記載の画像書込プログラムによると、当該プログラムの実行によりコンピュータ上に実現される各機能手段により、検索結果の電子文書の出力先として表示保持媒体を用いるにあたり、利用者が実際に必要とする部分の情報を速やかに利用者に提供できる検索文書表示システムを構成できる。
【発明を実施するための最良の形態】
【００３４】
本発明を、一実施例に基づいて具体的に説明する。
まず、本発明に係る表示保持媒体として使用できる電子ペーパについて説明する。
電子ペーパの表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
【００３５】
電子ペーパの一例として、光照射により画像を書き換える電子ペーパ（以下、光書換型電子ペーパ）について具体的に説明する。
光書換型電子ペーパは、表示部４１の断面構造を表す図９に示すように、複写機に利用されている有機光導電性材料の層（有機光導電層）６０と液晶表示材料の層（マイクロカプセル化したコレステリック液晶層）６１とを組み合わせ、これら層を表裏一対の透明電極６２で挟み、この積層体を表裏一対の透明な基材フィルム６３で挟んだ構造となっている。なお、この構成では、コレステリック液晶層６１が光を反射する白表示と、光が液晶層６１を透過しコレステリック液晶層６１と有機光導電層６０との間に設けられた黒色層６４で吸収される黒表示のモノクロ画像表示が可能である。さらにコレステリック液晶には螺旋ピッチに応じたカラー光を干渉反射するという特性があるので、コレステリック液晶層６１を螺旋ピッチの異なる液晶を積層した構成にすることにより、簡単な構造でカラー表示を実現することも可能である。
【００３６】
そして、光書換型電子ペーパは、表示部４１の動作原理を表す図１０に示すように、例えば画像書込み用の調光素子パネル（発光パネル）４７に転写する画像を表示して表示部４１に投影し、表示部４１に設けた書き込み用電極に電圧を印加すると、表示部４１は光の強弱を瞬時に反射濃度に変換して当該投影画像を保持する。そして、電極に消去電圧を印加することにより表示部４１に保持された画像情報を消去することができ、光書換型電子ペーパは書き込みと消去を繰り返して幾度も再使用することができる。なお、光書換型電子ペーパはこのような消去処理を行わずに、上記のように電極に電圧を印加して新たな画像を投影することにより、表示部４１に保持されている画像情報を上書きすることもでき、このような上書き処理によっても幾度も再使用することができる。
【００３７】
電子ペーパの他の例として、電気の直接印加により画像を書き換える電子ペーパ（以下、電気書換型電子ペーパ）について具体的に説明する。
電気書換型電子ペーパは、表示部４１の断面構造を表す図１１に示すように、微細な着色帯電粒子（図示の例では、白色粒子７１と黒色粒子７２）を少なくとも表面側が透明な表裏一対の電極７３間に封入し、これを少なくとも表面側が透明な表裏一対のフィルム基板７４で挟んだ構造となっている。着色粒子７１、７２が自由に移動できるように電極層７３間は空気層となっており、また、マトリックス状の電極層７３には着色粒子７１、７２との接触を防止する絶縁層７５が設けられている。なお、カラーフィルターを用いることにより、簡単な構造でカラー表示を実現することも可能である。
【００３８】
そして、電気書換型電子ペーパは、表示部４１の動作原理を表す図１２に示すように、電極７３に電圧を印加していない状態（但し、電極７３は前回の駆動時の極性に帯電している）では、負（マイナス）に帯電した白色粒子７１は裏面側に溜まる一方、正（プラス）に帯電した黒色粒子７２は表面側に溜まり、表示部４１を表面側から目視すると表示部４１は黒色な状態となる。そして、電気書換型電子ペーパに着脱自在に接続された書換装置に設けたドライバ（後述する書換手段５４）を画像データに基づいて動作させ、当該ドライバの機能により表示する画像に応じた表示部４１のマトリックスの所要部の電極極性を反転させると、白色粒子７１と黒色粒子７２との位置関係が入れ替わって、表示部４１に白色粒子７１と黒色粒子７２とのコントラストによる画像が表示される。なお、異なる画像データに基づいてドライバを動作させることにより、白色粒子７１と黒色粒子７２とのコントラストにより表示部４１に表示される画像を切り換えることができ、幾度も再使用することができる。
【００３９】
本実施例では、電気書換型電子ペーパを表示保持媒体として用いて検索文書表示システムを構成している。
本例に係る検索文書表示システムは、その装置構成を図１に示すように、利用者から各種操作指示を受け付ける操作端末１と、検索対象の電子文書を記憶・管理する文書管理サーバ２と、電子文書の検索や検索結果の電子文書に基づく画像データの生成を行うＥＰ処理サーバ３と、検索された電子文書の画像の出力先としての表示保持媒体（ＥＰ）４と、検索された電子文書の画像を表示保持媒体４へ書き込み表示させる書換装置５と、を備えている。
なお、本例では、表示保持媒体４と書換装置５とを分離可能な構成としているが、これらを一体に構成してもよい。
【００４０】
操作端末１は、電子文書の検索条件として用いる検索語の入力や検索結果の出力指示等を利用者から受け付ける。本例では、携帯電話を操作端末１として用いており、その近傍（例えば３０ｃｍ以内）に位置する書換装置５と無線により通信する機能や、携帯公衆網を通じてネットワークＮに接続してＥＰ処理サーバ３と通信する機能を有している。なお、操作端末１と書換装置５とをケーブル等で接続して有線により通信するようにしてもよい。また、携帯電話に代えて、例えばＰＤＡ等の携帯型の装置や例えばデスクトップパソコン等の設置型の装置を操作端末１として用いてもよい。
【００４１】
図２は、ＥＰ処理サーバ３の機能構成を示している。
ＥＰ処理サーバ３は、操作端末１や文書管理サーバ２との通信をネットワークＮを介して行う通信手段３１と、操作端末１により利用者から受け付けた検索語を記述内容に含む電子文書を文書管理サーバ２から検索する検索手段３２と、検索された電子文書中の検索語を含む部分を特定し、当該部分の画像データを生成する画像生成手段３３と、を有している。なお、検索語を含む部分としては、例えば、検索語を含むページ、検索語を含む段落、検索語を含む行とその前後数行、検索語を含む行のみ、等がある。
【００４２】
図３は、表示保持媒体４及び書換装置５の機能構成を示している。
表示保持媒体４は、書き込まれた画像を表示保持する表示部４１と、書換装置５と着脱自在に接続するための接続部４２と、表示部４１による画像の表現能力（解像度、色数、階調など）を示す能力情報を外部から読み取り可能に保持する能力情報保持部４３と、を有している。
【００４３】
書換装置５は、操作端末１との通信を行う通信手段５１と、表示保持媒体４と着脱自在に接続するための接続部５２と、ＥＰ処理サーバ３から操作端末１を介して受信する画像データを保持する画像メモリ５３と、画像メモリ５３に保持された画像データに基づく部分画像を当該書換装置５に接続された表示保持媒体４の表示部４１に書き込む書換手段５４と、当該表示保持媒体４の能力情報保持部４３から能力情報を読み取る読取手段５５と、を有している。
【００４４】
本例では、非接触通信が可能なＲＦＩＤを能力情報保持部４３として用いており、ＲＦＩＤに保持された能力情報を読取手段５５により非接触に読み取ってＥＰ処理サーバ３に操作端末１を介して送信し、その能力情報に応じた部分画像の画像データを画像生成手段３３に生成させているが、例えば、能力情報保持部４３と読取手段５５とを接続部４２及び５２を介して回路接続して読み取るようにしてもよい。また、例えば、表示保持媒体４に能力情報を示す画像（例えばバーコード）を印刷したシールを貼付し、或いは直接印刷する等により能力情報保持部４３を構成してもよく、この場合には、その画像の撮影を行って能力情報を取得するように読取手段５５を構成すればよい。
【００４５】
本例の検索文書表示システムによる検索処理の流れを、図４を参照して説明する。
利用者が操作端末１を操作して、電子文書の検索条件として用いる検索語を入力して検索指示を行うと、入力された検索語が操作端末１からＥＰ処理サーバ３に送信される。
ＥＰ処理サーバ３は、通信手段３１により操作端末１から検索条件（検索語）を受信すると（ステップＳ１）、検索手段３２が、受信した検索語を記述内容に含む電子文書を文書管理サーバ２から検索する（ステップＳ２）。
【００４６】
ＥＰ処理サーバ３は検索結果の各電子文書のファイル名を操作端末１に送信し、操作端末１により画面表示させて利用者に知らしめると共に、表示保持媒体４へ出力する電子文書を利用者に選択させる。操作端末１は、その近傍に表示保持媒体４と書換装置５とが接続状態で存在することを前提に出力対象の電子文書の選択を受け付けており、選択された電子文書を示す情報のＥＰ処理サーバ３への送信に加えて、この表示保持媒体４から書換装置５により読み取った能力情報をＥＰ処理サーバ３に送信する。
【００４７】
ＥＰ処理サーバ３は、画像生成手段３３により、操作端末１で選択された電子文書中の検索語を含む部分を特定し（ステップＳ３）、その部分の画像データを受信した能力情報で示される出力先の表示保持媒体４の表現能力に従って生成し（ステップＳ４）、当該生成した画像データを書換装置５に供給すべく操作端末１に送信する。
書換装置５は、操作端末１を介して供給された部分画像の画像データを画像メモリ５３に一旦格納し、書換手段５４が当該画像データに基づく書込電力を当該書換装置５と接続状態にある表示保持媒体４の表示部４１に与えて、部分画像を表示保持媒体４に書き込み表示させる。
【００４８】
この結果、図６に例示するように検索語を含む部分の画像が表示保持媒体４に表示されるため、例えば１０ページからなる電子文書中の４ページ目に検索語を含むとしても、３ページ分をページ送りする等の作業を利用者が行うことなく４ページ目が表示されることから、利用者の作業効率の向上が図れる。
【００４９】
なお、本例の操作端末１は、検索語を識別可能な表示態様とするか否かの指示を利用者から受け付けており、画像生成手段３３はその指示に応じた態様の部分画像の画像データを生成している。本例では、表示保持媒体４の表現能力に応じて検索語の表示態様を決定しており、例えば、モノクロ表示しか行えない表示保持媒体４の場合には、検索語を網掛けしたり、太字にしたり、下線を引いたりし、カラー表示を行える表示保持媒体４の場合には、検索語の文字色や背景色に彩色を施したりして強調表示している。
また、本例では検索条件として複数の検索語の入力を受け付けており、これら検索語の全て（或いはいずれか）を含む電子文書を検索するが、この場合には、その画像データの生成において各検索語毎にその表示態様を変えている。
なお、表示保持媒体４の表示を部分的に書き換え可能な場合には、書き換えが必要な部分（すなわち検索語部分）のみの画像データを生成するようにしてもよい。
【００５０】
ここで、検索結果の部分画像を表示出力する表示保持媒体４は複数であってもよく、検索された複数の電子文書の部分画像を各電子文書毎の表示保持媒体４に表示させたり、検索された電子文書中に検索語を含む部分が複数ある場合に各部分画像を各部分画像毎の表示保持媒体４に表示させたりできる。この場合、自己を識別する媒体識別情報を外部から読み取り可能に各表示保持媒体４に保持させ、書換装置５により読み取って能力情報に対応付けて操作端末１やＥＰ処理サーバ３に提供することで、各表示保持媒体４毎の表現能力に応じた処理が可能になる。
【００５１】
図５には、複数の表示保持媒体４を出力先として用いる場合の操作端末１の画面例を示している。
同図の画面では、検索語（検索キーワード）の入力欄１１と、入力された検索語をＥＰ処理サーバ３に送信して検索させる実行ボタン１２と、検索結果の出力先として複数用意された各表示保持媒体４を示すアイコン画像１７と、検索した電子文書の各表示保持媒体４への書き込みを指示する表示ボタン１３と、各アイコン画像１７を対応する表示保持媒体４の能力情報に応じた順番（例えば解像度が高い順）に並べ替える整列ボタン１４と、検索された複数の電子文書のうちの出力対象の電子文書を所定の順番（例えば検索語を多く含む順）に従って切り替える次候補ボタン１５と、当該画面を閉じて検索を終了ボタン１６と、を有している。
【００５２】
本例では、操作端末１の近傍に位置する表示保持媒体４に応じた数のアイコン画像１７を表示しており、このアイコン画像１７の数を、検索結果の出力先に用いるべく用意された表示保持媒体４の数として出力対象の電子文書を示す情報と共にＥＰ処理サーバ３に送信している。
送信された表示保持媒体４の数は、検索語を含む各部分の画像が表示保持媒体４のいずれかに表示されるように画像データを生成するために画像生成手段３３で用いられる。
【００５３】
例えば、電子文書中の検索語を含む部分が２ページ目、４ページ目、６ページ目の３箇所であり、表示保持媒体４が３枚で、両者の数が一致する場合（或いは表示保持媒体４の方が多い場合）には、図６に示すように、画像生成手段３３は、それぞれのページの画像データを生成して各表示保持媒体４に表示させる。
一方、表示保持媒体４が２枚しかなく表示保持媒体４の数が足りない場合には、図７に示すように、画像生成手段３３は、最初の検索語を含む部分（２ページ目全体）の画像データ（１枚目の表示保持媒体用）と、残りの検索語を含む各部分（４ページ目及び６ページ目のうちの検索語を含む行とその前後数行）の画像を構成要素として有する複合画像の画像データ（２枚目の表示保持媒体用）とを生成して各表示保持媒体４に表示させる。
【００５４】
このとき、複合画像の構成要素である各部分画像に含める検索語の前後の行数は、表示保持媒体４の枚数と検索語の個数とに応じて決定する。また、各部分画像は本来の表示サイズより小さい縮小画像であってもよく、その場合には、出力先の表示保持媒体４の表現能力に応じて縮小率を決定すればよい。
なお、複合画像に代えて、電子文書全体の縮小画像で且つ各検索語を強調表示した画像の画像データを生成して表示保持媒体４に表示させることで、電子文書中に含まれる検索語の数を利用者が把握できるようにしてもよい。
【００５５】
ここで、書換装置５の画像メモリ５３が複数の画像データを保持可能な場合には、予め複数の部分画像の画像データを生成して画像メモリ５３に保持させておくことで、利用者から次の部分画像に書き換える指示があった場合の処理時間を短縮できる。
また、検索語を含む部分の部分画像の他に、その前後の部分画像の画像データを画像メモリ５３に保持させてもよい。この場合には、図８に示すように、検索語の行を中段に配置した部分画像を基準とし、その前後の表示単位についての部分画像の画像データを生成してもよく、検索語を中心とした表示単位でページめくりを行える。
【００５６】
本例では、画像生成手段３３をＥＰ処理サーバ３が備えているが、操作端末１や書換装置５が備えるようにしてもよい。
文書管理サーバ２とＥＰ処理サーバ３とは一体でもよく、また、操作端末１に文書管理サーバ２及びＥＰ処理サーバ３の各機能を設けて、操作端末１が自己が保有する電子文書を検索してその結果を表示保持媒体４に出力するような構成としてもよい。
画像生成手段３３による電子文書中の検索語を含む部分の特定は、検索手段３２が電子文書中の検索語の位置を検索時に特定して当該位置情報を画像生成手段３３に提供し、画像生成手段３３が当該位置情報に基づいて行ってもよく、画像生成手段３３が検索された電子文書を参照して検索語の位置を特定した後に行うようにしてもよい。
【００５７】
本実施例におけるＥＰ処理サーバ３及び書換装置５は、ＣＰＵ（Central Processing Unit）等の演算部やＲＡＭ（Random Access Memory）等の記憶部といったハードウェア資源を有するコンピュータが、本発明に係る画像生成プログラム及び画像書込プログラムを実行することで実現している。
具体的には、コンピュータが有するＲＯＭ（Read Only Memory）内に本発明に係るプログラムを予め記憶保持しており、当該プログラムを読み出して記憶部に展開し、演算部により実行させることで本発明に係る各機能手段を構成している。
【００５８】
なお、例えば、ＣＤ−ＲＯＭ（Compact Disc Read Only Memory）やメモリカートリッジ等の外部記憶媒体を装填するスロット等の媒体接続部をコンピュータに設け、本発明に係るプログラムをコンピュータ読み取り可能に記憶保持した外部記憶媒体から当該媒体接続部によりプログラムを読み出して実行してもよい。また、例えば、本発明に係るプログラムを送信する機能を有するサーバ装置との通信をネットワークを介して行う通信部をコンピュータに設け、当該通信部によりサーバ装置からプログラムを受信して実行してもよい。また、上記のように外部から取得した本発明に係るプログラムをコンピュータのＨＤＤ（Hard Disk Drive）に記憶保持するようにし、当該ＨＤＤからプログラムを読み出して実行してもよい。
なお、上記のようなソフトウェア構成でなく、専用のハードウェア回路により本発明に係る各機能手段を構成してもよい。
【図面の簡単な説明】
【００５９】
【図１】本発明の一実施例に係る検索文書表示システムの装置構成図である。
【図２】本発明の一実施例に係るＥＰ処理サーバの機能構成図である。
【図３】本発明の一実施例に係る書換装置及び電子ペーパの機能構成図である。
【図４】本発明の一実施例に係る検索処理を説明する図である。
【図５】本発明の一実施例に係る操作端末の画面例を示す図である。
【図６】本発明の一実施例に係る検索結果の表示例を示す図である。
【図７】本発明の一実施例に係る検索結果の表示例を示す図である。
【図８】本発明の一実施例に係る検索結果の表示例を示す図である。
【図９】光書換型電子ペーパの構造を説明する図である。
【図１０】光書換型電子ペーパの動作原理を説明する図である。
【図１１】電気書換型電子ペーパの構造を説明する図である。
【図１２】電気書換型電子ペーパの動作原理を説明する図である。
【符号の説明】
【００６０】
１：操作端末、
２：文書管理サーバ、
３：ＥＰ処理サーバ、
４：表示保持媒体、
５：書換装置、
３１：通信手段、
３２：検索手段、
３３：画像生成手段、
４１：表示部、
４２：接続部、
４３：能力情報保持部、
５１：通信手段、
５２：接続部、
５３：画像メモリ、
５４：書込手段、
５５：読取手段
【図１】
2008293312.tif 000003
【図２】
2008293312.tif 000004
【図３】
2008293312.tif 000005
【図４】
2008293312.tif 000006
【図５】
2008293312.tif 000007
【図６】
2008293312.tif 000008
【図７】
2008293312.tif 000009
【図８】
2008293312.tif 000010
【図９】
2008293312.tif 000011
【図１０】
2008293312.tif 000012
【図１１】
2008293312.tif 000013
【図１２】
2008293312.tif 000014